(57)【要約】【課題】  被点呼者の健康状態を点呼執行者に従来より容易に認識させることができる点呼支援システムおよび点呼支援プログラムを提供する。【解決手段】  点呼執行者による被点呼者に対する点呼を支援するための点呼支援システムは、点呼を支援するための点呼支援処理を実行している場合に、被点呼者の爪の状態を読み取る爪リーダーによる読み取り結果に基づいて被点呼者の健康状態の判定を実行して（Ｓ１１２）、判定の結果を表示部に表示させる（Ｓ１１３）ことを特徴とする。【選択図】  図７
2018005268.tif 000002
【特許請求の範囲】
【請求項１】
点呼執行者による被点呼者に対する点呼を支援するための点呼支援システムであって、
表示デバイスと、
前記被点呼者の爪の状態を読み取る読取デバイスと、
前記点呼を支援するための点呼支援処理を実行する点呼支援手段と、
前記読取デバイスによる読み取り結果に基づいて前記被点呼者の健康状態の判定を実行する健康状態判定手段とを備え、
前記健康状態判定手段は、前記点呼支援手段によって前記点呼支援処理が実行されている場合に、前記判定の結果を前記表示デバイスに表示させることを特徴とする点呼支援システム。
【請求項２】
操作デバイスを備え、
前記点呼支援処理は、前記点呼において前記点呼執行者および前記被点呼者の対話によって確認される項目に対する値を前記操作デバイスから受け付け可能な点呼支援画面を前記表示デバイスに表示させる処理を含み、
前記項目は、前記被点呼者の健康状態の項目を含むことを特徴とする請求項１に記載の点呼支援システム。
【請求項３】
前記健康状態判定手段は、前記被点呼者の健康状態の前記項目に対する値を前記操作デバイスから受け付け可能な前記点呼支援画面が前記点呼支援手段によって前記表示デバイスに表示させられている場合に、前記判定の結果を前記表示デバイスに表示させることを特徴とする請求項２に記載の点呼支援システム。
【請求項４】
前記点呼支援手段は、前記健康状態判定手段によって前記判定の結果が前記表示デバイスに表示されるまで、前記点呼支援処理を正常に終了しないことを特徴とする請求項１から請求項３までの何れかに記載の点呼支援システム。
【請求項５】
記憶デバイスを備え、
前記健康状態判定手段は、前記判定の結果を前記記憶デバイスに記憶させ、前記記憶デバイスに記憶されている複数回の前記判定の結果に基づいて前記被点呼者の健康状態の推移を前記表示デバイスに表示させることを特徴とする請求項１から請求項４までの何れかに記載の点呼支援システム。
【請求項６】
前記健康状態判定手段は、前記点呼支援手段によって前記点呼支援処理が実行されている場合に、前記被点呼者の健康状態の推移を前記表示デバイスに表示させることを特徴とする請求項５に記載の点呼支援システム。
【請求項７】
前記読取デバイスは、前記被点呼者の爪の色を読み取り、
前記健康状態判定手段は、前記読取デバイスによって読み取られた爪の色に基づいて前記判定を実行することを特徴とする請求項１から請求項６までの何れかに記載の点呼支援システム。
【請求項８】
点呼執行者による被点呼者に対する点呼を支援するための点呼支援処理を実行する点呼支援手段、および、
前記被点呼者の爪の状態を読み取る読取デバイスによる読み取り結果に基づいて前記被点呼者の健康状態の判定を実行する健康状態判定手段としてコンピューターを機能させ、
前記健康状態判定手段は、前記点呼支援手段によって前記点呼支援処理が実行されている場合に、前記判定の結果を表示デバイスに表示させることを特徴とする点呼支援プログラム。
【発明の詳細な説明】
【技術分野】
【０００１】
本発明は、点呼執行者による被点呼者に対する点呼を支援するための点呼支援システムおよび点呼支援プログラムに関する。
【背景技術】
【０００２】
従来、点呼執行者による被点呼者に対する点呼を支援するための点呼支援システムとして、表示デバイスと、被点呼者の血圧を測定する血圧測定装置とを備え、点呼を支援するための点呼支援処理を実行している場合に、血圧測定装置による測定結果を表示デバイスに表示させるものが知られている（例えば、特許文献１参照。）。特許文献１に記載されている点呼支援システムにおいては、被点呼者の最高血圧、最低血圧、脈拍数などの血圧データと、これまでの血圧データの推移を示すグラフとを血圧測定装置による測定結果として表示デバイスに表示させる。
【先行技術文献】
【特許文献】
【０００３】
【特許文献１】特開２０１５−０６９２５５号公報
【発明の概要】
【発明が解決しようとする課題】
【０００４】
しかしながら、従来の点呼支援システムにおいては、被点呼者の血圧が異常であるか否かを、血圧データと、これまでの血圧データの推移を示すグラフとに基づいて点呼執行者が判定する必要があるので、血圧に基づいた被点呼者の健康状態の判定のための高度な能力が点呼執行者に必要であるという問題がある。
【０００５】
そこで、本発明は、被点呼者の健康状態を点呼執行者に従来より容易に認識させることができる点呼支援システムおよび点呼支援プログラムを提供することを目的とする。
【課題を解決するための手段】
【０００６】
本発明の点呼支援システムは、点呼執行者による被点呼者に対する点呼を支援するための点呼支援システムであって、表示デバイスと、前記被点呼者の爪の状態を読み取る読取デバイスと、前記点呼を支援するための点呼支援処理を実行する点呼支援手段と、前記読取デバイスによる読み取り結果に基づいて前記被点呼者の健康状態の判定を実行する健康状態判定手段とを備え、前記健康状態判定手段は、前記点呼支援手段によって前記点呼支援処理が実行されている場合に、前記判定の結果を前記表示デバイスに表示させることを特徴とする。
【０００７】
この構成により、本発明の点呼支援システムは、被点呼者の爪の状態を読み取る読取デバイスによる読み取り結果に基づいて被点呼者の健康状態の判定を実行し、判定の結果を点呼支援処理の実行中に表示デバイスに表示させるので、読取デバイスによる読み取り結果に基づいて被点呼者の健康状態を点呼執行者が判定する必要がなく、被点呼者の健康状態を点呼執行者に従来より容易に認識させることができる。
【０００８】
本発明の点呼支援システムは、操作デバイスを備え、前記点呼支援処理は、前記点呼において前記点呼執行者および前記被点呼者の対話によって確認される項目に対する値を前記操作デバイスから受け付け可能な点呼支援画面を前記表示デバイスに表示させる処理を含み、前記項目は、前記被点呼者の健康状態の項目を含んでも良い。
【０００９】
この構成により、本発明の点呼支援システムは、読取デバイスによる読み取り結果に基づいた被点呼者の健康状態の自動判定の結果が、点呼執行者および被点呼者の対話による被点呼者の健康状態の項目に対する値の入力の際の有用な参考情報になるので、被点呼者の健康状態の項目に対して適切な値が入力される可能性を向上することができる。
【００１０】
本発明の点呼支援システムにおいて、前記健康状態判定手段は、前記被点呼者の健康状態の前記項目に対する値を前記操作デバイスから受け付け可能な前記点呼支援画面が前記点呼支援手段によって前記表示デバイスに表示させられている場合に、前記判定の結果を前記表示デバイスに表示させても良い。
【００１１】
この構成により、本発明の点呼支援システムは、読取デバイスによる読み取り結果に基づいた被点呼者の健康状態の自動判定の結果を、被点呼者の健康状態の項目に対する値を受け付け可能な点呼支援画面と同時に表示するので、被点呼者の健康状態の項目に対して適切な値が入力される可能性を更に向上することができる。
【００１２】
本発明の点呼支援システムにおいて、前記点呼支援手段は、前記健康状態判定手段によって前記判定の結果が前記表示デバイスに表示されるまで、前記点呼支援処理を正常に終了しなくても良い。
【００１３】
この構成により、本発明の点呼支援システムは、読取デバイスによる読み取り結果に基づいた被点呼者の健康状態の判定の結果が表示デバイスに表示されるまで点呼支援処理が正常に終了しないので、被点呼者の爪の状態を読取デバイスに読み取らせることが失念されることを防止することができ、被点呼者の健康状態が点呼執行者によって認識されない状況の発生を抑えることができる。
【００１４】
本発明の点呼支援システムは、記憶デバイスを備え、前記健康状態判定手段は、前記判定の結果を前記記憶デバイスに記憶させ、前記記憶デバイスに記憶されている複数回の前記判定の結果に基づいて前記被点呼者の健康状態の推移を前記表示デバイスに表示させても良い。
【００１５】
この構成により、本発明の点呼支援システムは、複数回の判定の結果に基づいて被点呼者の健康状態の推移を表示デバイスに表示させるので、被点呼者の健康状態の現状だけでなく、被点呼者の健康状態の悪化や改善の状況を点呼執行者に認識させることができる。したがって、本発明の点呼支援システムは、被点呼者の健康状態を点呼執行者に詳細に認識させることができる。
【００１６】
本発明の点呼支援システムにおいて、前記健康状態判定手段は、前記点呼支援手段によって前記点呼支援処理が実行されている場合に、前記被点呼者の健康状態の推移を前記表示デバイスに表示させても良い。
【００１７】
この構成により、本発明の点呼支援システムは、複数回の判定の結果に基づいた被点呼者の健康状態の推移を点呼支援処理の実行中に表示デバイスに表示させるので、被点呼者の健康状態を点呼執行者に詳細に認識させることができる。
【００１８】
本発明の点呼支援システムにおいて、前記読取デバイスは、前記被点呼者の爪の色を読み取り、前記健康状態判定手段は、前記読取デバイスによって読み取られた爪の色に基づいて前記判定を実行しても良い。
【００１９】
この構成により、本発明の点呼支援システムは、被点呼者の爪の色に基づいて被点呼者の健康状態を判定するので、被点呼者の爪の表面の凹凸などの形状に基づいて被点呼者の健康状態を判定する場合と比較して、被点呼者の健康状態を容易な構成で高精度に点呼執行者に認識させることができる。
【００２０】
本発明の点呼支援プログラムは、点呼執行者による被点呼者に対する点呼を支援するための点呼支援処理を実行する点呼支援手段、および、前記被点呼者の爪の状態を読み取る読取デバイスによる読み取り結果に基づいて前記被点呼者の健康状態の判定を実行する健康状態判定手段としてコンピューターを機能させ、前記健康状態判定手段は、前記点呼支援手段によって前記点呼支援処理が実行されている場合に、前記判定の結果を表示デバイスに表示させることを特徴とする。
【００２１】
この構成により、本発明の点呼支援プログラムを実行するコンピューターは、被点呼者の爪の状態を読み取る読取デバイスによる読み取り結果に基づいて被点呼者の健康状態の判定を実行し、判定の結果を点呼支援処理の実行中に表示デバイスに表示させるので、読取デバイスによる読み取り結果に基づいて被点呼者の健康状態を点呼執行者が判定する必要がなく、被点呼者の健康状態を点呼執行者に従来より容易に認識させることができる。
【発明の効果】
【００２２】
本発明の点呼支援システムおよび点呼支援プログラムは、被点呼者の健康状態を点呼執行者に従来より容易に認識させることができる。
【図面の簡単な説明】
【００２３】
【図１】本発明の一実施の形態に係る点呼支援システムのブロック図である。
【図２】図１に示す爪リーダーのブロック図である。
【図３】図１に示すコンピューターのブロック図である。
【図４】図３に示す健康状態テーブルの一例を示す図である。
【図５】図３に示す点呼支援アプリケーションプログラムに対する設定画面の一例を示す図である。
【図６】点呼を支援する場合の図３に示すコンピューターの動作の一部のフローチャートである。
【図７】点呼を支援する場合の図３に示すコンピューターの動作の、図６に示す部分とは異なる部分のフローチャートである。
【図８】図６および図７に示す動作において表示されるログイン画面の一例を示す図である。
【図９】図６および図７に示す動作において表示される点呼支援画面の一例を示す図である。
【図１０】判定の結果が表示された場合の図６および図７に示す動作において表示される点呼支援画面の一例を示す図である。
【図１１】被点呼者の健康状態の推移を表示する場合の図３に示すコンピューターの動作のフローチャートである。
【図１２】図１に示す例とは異なる例での、本発明の実施の形態に係る点呼支援システムのブロック図である。
【発明を実施するための形態】
【００２４】
以下、本発明の一実施の形態について、図面を用いて説明する。
【００２５】
まず、本実施の形態に係る点呼支援システムの構成について説明する。
【００２６】
図１は、本実施の形態に係る点呼支援システム１０のブロック図である。
【００２７】
図１に示すように、点呼支援システム１０は、被点呼者の爪の状態を読み取る読取デバイスとしての爪リーダー２０と、爪リーダー２０が接続されたコンピューター３０とを備えている。点呼支援システム１０は、例えば、運輸・運送事業者の営業所に設置されている。
【００２８】
図２は、爪リーダー２０のブロック図である。
【００２９】
図２に示すように、爪リーダー２０は、ボタンなどの操作デバイスである操作部２１と、爪を撮像する撮像デバイスとしてのＣＣＤ（Ｃｈａｒｇｅ  Ｃｏｕｐｌｅｄ  Ｄｅｖｉｃｅ）カメラなどの撮像部２２と、インターネット、ＬＡＮ（Ｌｏｃａｌ  Ａｒｅａ  Ｎｅｔｗｏｒｋ）などのネットワークを介さずに有線通信によって直接に、コンピューター３０（図１参照。）など、外部の装置と通信を行う通信デバイスである通信部２３と、各種の情報を記憶する半導体メモリーなどの不揮発性の記憶デバイスである記憶部２４と、爪リーダー２０全体を制御する制御部２５とを備えている。
【００３０】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００３１】
図３は、コンピューター３０のブロック図である。
【００３２】
図３に示すように、コンピューター３０は、種々の操作が入力されるボタンなどの操作デバイスである操作部３１と、種々の情報を表示するＬＣＤなどの表示デバイスである表示部３２と、インターネット、ＬＡＮなどのネットワーク経由で、または、有線通信または無線通信によってネットワークを介さず直接に、外部の装置と通信を行う通信デバイスである通信部３３と、各種の情報を記憶する半導体メモリー、ＨＤＤ（Ｈａｒｄ  Ｄｉｓｋ  Ｄｒｉｖｅ）などの不揮発性の記憶デバイスである記憶部３４と、コンピューター３０全体を制御する制御部３５とを備えている。コンピューター３０は、例えば、タブレット、ＰＣ（Ｐｅｒｓｏｎａｌ  Ｃｏｍｐｕｔｅｒ）である。コンピューター３０は、ネットワークを介さずに有線通信によって直接に爪リーダー２０（図１参照。）と通信を行う。
【００３３】
記憶部３４は、点呼執行者による被点呼者に対する点呼を支援するための点呼支援プログラム３４ａを記憶している。点呼支援プログラム３４ａは、点呼執行者による被点呼者に対する点呼を支援するための点呼支援アプリケーションプログラム３４ｂと、被点呼者の健康状態を判定するための健康状態判定アプリケーションプログラム３４ｃとを含んでいる。点呼支援アプリケーションプログラム３４ｂおよび健康状態判定アプリケーションプログラム３４ｃは、それぞれ、コンピューター３０の製造段階でコンピューター３０にインストールされていても良いし、ＳＤカード、ＵＳＢ（Ｕｎｉｖｅｒｓａｌ  Ｓｅｒｉａｌ  Ｂｕｓ）メモリーなどの外部の記憶媒体からコンピューター３０に追加でインストールされても良いし、ネットワーク上からコンピューター３０に追加でインストールされても良い。
【００３４】
記憶部３４は、爪の色と、健康状態との対応関係を示す健康状態テーブル３４ｄを記憶している。
【００３５】
図４は、健康状態テーブル３４ｄの一例を示す図である。
【００３６】
図４に示す健康状態テーブル３４ｄは、爪の色の範囲と、爪の色の範囲に対応する健康状態とを含んでいる。
【００３７】
爪の色の範囲は、ＲＧＢ値で表されており、ＲＧＢ値の全範囲が範囲Ａ〜Ｆという６つの範囲に区分されている。
【００３８】
範囲Ａは、１６進数表記で「ＦＦ００００」で示す「赤」を含む範囲であり、健康状態として「多血症」、「脳血栓」、「心筋梗塞」などの病名が対応付けられている。
【００３９】
範囲Ｂは、１６進数表記で「Ｂ２０１０１」で示す「赤黒」を含む範囲であり、健康状態として「肝硬変」、「肝臓病」、「ホルモン異常」などの病名が対応付けられている。
【００４０】
範囲Ｃは、１６進数表記で「ＦＦＦＦ００」で示す「黄」を含む範囲であり、健康状態として「水虫」、「カンジタ」、「肺や気管支の病気」、「甲状腺疾患」などの病名が対応付けられている。
【００４１】
範囲Ｄは、１６進数表記で「００ＦＦ００」で示す「緑」を含む範囲であり、健康状態として「緑膿菌などの細菌感染」などの病名が対応付けられている。
【００４２】
範囲Ｅは、１６進数表記で「ＦＦＦＦＦＦ」で示す「白」を含む範囲であり、健康状態として「爪甲剥離症」、「貧血」、「マニキュアの刺激」、「肝臓の病気」などの病名が対応付けられている。
【００４３】
範囲Ｆは、１６進数表記で「ＦＦＣ０ＣＢ」で示す「ピンク」を含む範囲であり、健康状態として「健康」が対応付けられている。
【００４４】
図１に示す制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００４５】
制御部３５は、記憶部３４に記憶されている点呼支援アプリケーションプログラム３４ｂを実行することによって、点呼を支援するための点呼支援画面を表示部３２に表示させる点呼支援処理を実行する点呼支援手段３５ａとして機能する。
【００４６】
制御部３５は、記憶部３４に記憶されている健康状態判定アプリケーションプログラム３４ｃを実行することによって、爪リーダー２０による読み取り結果に基づいて被点呼者の健康状態の判定を実行する健康状態判定手段３５ｂとして機能する。
【００４７】
次に、点呼支援システム１０の動作について説明する。
【００４８】
まず、点呼支援アプリケーションプログラム３４ｂに対する設定が実行される場合のコンピューター３０の動作について説明する。
【００４９】
コンピューター３０は、点呼支援アプリケーションプログラム３４ｂに対する設定の実行が操作部３１を介して指示されると、点呼支援アプリケーションプログラム３４ｂを実行することによって、点呼支援アプリケーションプログラム３４ｂに対する設定画面５０（図５参照。）を表示部３２に表示する。
【００５０】
図５は、点呼支援アプリケーションプログラム３４ｂに対する設定画面５０の一例を示す図である。
【００５１】
図５に示す設定画面５０は、「爪のバイタルチェックを行う」という設定項目に対応するチェックボックス５１を含んでいる。チェックボックス５１にチェックが入っている状態は、点呼支援処理の実行中に爪リーダー２０による読み取りを行うことが設定されていることを示している。一方、チェックボックス５１にチェックが入っていない状態は、点呼支援処理の実行中に爪リーダー２０による読み取りを行わないことが設定されていることを示している。なお、設定画面５０には、「爪のバイタルチェックを行う」という設定項目以外の設定項目に対応するチェックボックスなどが実際には含まれているが、図５においては省略されて描かれている。
【００５２】
次に、健康状態判定アプリケーションプログラム３４ｃに対する設定が実行される場合のコンピューター３０の動作について説明する。
【００５３】
コンピューター３０は、健康状態判定アプリケーションプログラム３４ｃに対する設定の実行が操作部３１を介して指示されると、健康状態判定アプリケーションプログラム３４ｃを実行することによって、健康状態判定アプリケーションプログラム３４ｃに対する設定画面を表示部３２に表示する。この設定画面では、例えば、爪の色に基づいた被点呼者の健康状態の判定の結果の表示内容などを設定することができる。
【００５４】
次に、点呼を支援する場合のコンピューター３０の動作について説明する。
【００５５】
図６および図７は、点呼を支援する場合のコンピューター３０の動作のフローチャートである。
【００５６】
図６および図７に示すように、点呼支援手段３５ａは、ログイン画面６０（図８参照。）を表示部３２に表示させる（Ｓ１０１）。
【００５７】
図８は、ログイン画面６０の一例を示す図である。
【００５８】
図８に示すように、ログイン画面６０は、被点呼者のＩＤが入力されるテキストボックス６１を含んでいる。
【００５９】
図６および図７に示すように、点呼支援手段３５ａは、テキストボックス６１にＩＤが入力されたか否かを判断する（Ｓ１０２）。
【００６０】
点呼支援手段３５ａは、テキストボックス６１にＩＤが入力されたとＳ１０２において判断すると、テキストボックス６１に入力されたＩＤに対応付けられた被点呼者が記憶部３４に登録されているか否かを判断する（Ｓ１０３）。
【００６１】
点呼支援手段３５ａは、テキストボックス６１にＩＤが入力されていないとＳ１０２において判断するか、テキストボックス６１に入力されたＩＤに対応付けられた被点呼者が記憶部３４に登録されていないとＳ１０３において判断すると、Ｓ１０２の処理を実行する。
【００６２】
点呼支援手段３５ａは、テキストボックス６１に入力されたＩＤに対応付けられた被点呼者が記憶部３４に登録されているとＳ１０３において判断すると、この被点呼者に対する点呼を支援するための点呼支援画面７０（図９参照。）を表示部３２に表示させる（Ｓ１０４）。すなわち、点呼支援手段３５ａは、点呼支援処理を開始する。
【００６３】
図９は、点呼支援画面７０の一例を示す図である。
【００６４】
図９に示すように、点呼支援画面７０は、点呼において点呼執行者および被点呼者の対話によって確認される項目（以下「確認項目」と言う。）に対応する種々のチェックボックス７１を含んでいる。すなわち、点呼支援画面７０は、確認項目に対する値を操作部３１から受け付け可能な画面である。例えば、確認項目は、「体調に異常はありませんか？」、「睡眠は十分取れましたか？」などの被点呼者の健康状態の項目や、「日常車両点検の結果に問題はありませんか？」、「免許証、運行指示書など携行品を携帯していますか？」、「本日の業務予定を十分把握できていますか？」などの項目を含んでいる。なお、チェックボックス７１は、任意のタイミングで操作されることが可能である。
【００６５】
設定画面５０（図５参照。）において点呼支援処理の実行中に爪リーダー２０による読み取りを行うことが設定されている場合、点呼支援手段３５ａは、爪の色に基づいた被点呼者の健康状態の判定の結果を表示するための判定結果表示領域７２を点呼支援画面７０に含める。なお、設定画面５０において点呼支援処理の実行中に爪リーダー２０による読み取りを行わないことが設定されている場合、点呼支援手段３５ａは、点呼支援画面７０に判定結果表示領域７２を含めなくても良い。
【００６６】
点呼支援画面７０は、キャンセルボタン７３および終了ボタン７４を含んでいる。
【００６７】
図６および図７に示すように、点呼支援手段３５ａは、設定画面５０（図５参照。）において点呼支援処理の実行中に爪リーダー２０による読み取りを行うことが設定されているか否かを判断する（Ｓ１０５）。
【００６８】
点呼支援手段３５ａは、爪リーダー２０による読み取りを行うことが設定されていないとＳ１０５において判断すると、キャンセルボタン７３が押されたか否かを判断する（Ｓ１０６）。
【００６９】
点呼支援手段３５ａは、キャンセルボタン７３が押されたとＳ１０６において判断すると、Ｓ１０１の処理を実行する。すなわち、点呼支援手段３５ａは、点呼支援処理を中止する。
【００７０】
点呼支援手段３５ａは、キャンセルボタン７３が押されていないとＳ１０６において判断すると、終了ボタン７４が押されたか否かを判断する（Ｓ１０７）。
【００７１】
点呼支援手段３５ａは、終了ボタン７４が押されていないとＳ１０７において判断すると、Ｓ１０６の処理を実行する。
【００７２】
点呼支援手段３５ａは、終了ボタン７４が押されたとＳ１０７において判断すると、全ての確認項目に対する値が受け付けられたか否かを判断する（Ｓ１０８）。
【００７３】
点呼支援手段３５ａは、少なくとも１つの確認項目に対する値が受け付けられていないとＳ１０８において判断すると、値が受け付けられていない確認項目が存在する旨のエラー（以下「未チェックエラー」と言う。）を表示部３２に表示する（Ｓ１０９）。ここで、点呼支援手段３５ａは、未チェックエラーの表示を、表示部３２の画面における色や、表示部３２とは別に設けた警告灯による光などによって実行しても良い。また、点呼支援手段３５ａは、未チェックエラーの表示に追加して、または、未チェックエラーの表示に代えて、音声などの音によって、未チェックエラーを通知しても良い。
【００７４】
点呼支援手段３５ａは、Ｓ１０９の処理の後、Ｓ１０６の処理を実行する。
【００７５】
点呼支援手段３５ａは、全ての確認項目に対する値が受け付けられたとＳ１０８において判断すると、点呼支援処理の結果を記憶部３４に記憶させて（Ｓ１１０）、Ｓ１０１の処理を実行する。すなわち、点呼支援手段３５ａは、点呼支援処理を正常に終了する。
【００７６】
健康状態判定手段３５ｂは、爪リーダー２０による読み取りを行うことが設定されているとＳ１０５において判断されると、爪リーダー２０による読み取り結果を通信部３３を介して受信したか否かを判断する（Ｓ１１１）。ここで、被点呼者は、被点呼者自身の爪を爪リーダー２０の撮像部２２が撮影可能になるように被点呼者自身の指を撮像部２２に対して固定し、操作部２１を操作することによって爪リーダー２０に爪の色を読み取らせることができる。すなわち、爪リーダー２０の制御部２５は、操作部２１の操作に応じて撮像部２２によって撮像し、撮像して得られたＲＧＢ値を通信部２３を介してコンピューター３０に送信する。
【００７７】
健康状態判定手段３５ｂは、爪リーダー２０による読み取り結果を受信したとＳ１１１において判断すると、爪リーダー２０による読み取り結果と、健康状態テーブル３４ｄとに基づいて、被点呼者の健康状態を判定する（Ｓ１１２）。
【００７８】
次いで、健康状態判定手段３５ｂは、Ｓ１１２における判定の結果を例えば図１０に示すように点呼支援画面７０の判定結果表示領域７２に表示する（Ｓ１１３）。なお、判定結果表示領域７２に表示された判定結果は、点呼執行者だけでなく、被点呼者自身も確認することができる。
【００７９】
点呼支援手段３５ａは、爪リーダー２０による読み取り結果を受信していないとＳ１１１において判断するか、Ｓ１１３の処理の後、キャンセルボタン７３が押されたか否かを判断する（Ｓ１１４）。
【００８０】
点呼支援手段３５ａは、キャンセルボタン７３が押されたとＳ１１４において判断すると、Ｓ１０１の処理を実行する。すなわち、点呼支援手段３５ａは、点呼支援処理を中止する。
【００８１】
点呼支援手段３５ａは、キャンセルボタン７３が押されていないとＳ１１４において判断すると、終了ボタン７４が押されたか否かを判断する（Ｓ１１５）。
【００８２】
点呼支援手段３５ａは、終了ボタン７４が押されていないとＳ１１５において判断すると、Ｓ１１１の処理を実行する。
【００８３】
点呼支援手段３５ａは、終了ボタン７４が押されたとＳ１１５において判断すると、爪の色に基づいた被点呼者の健康状態の判定の結果が今回の点呼支援処理において表示されたか否かを判断する（Ｓ１１６）。
【００８４】
点呼支援手段３５ａは、判定の結果が表示されていないとＳ１１６において判断すると、爪の色に基づいた被点呼者の健康状態の自動判定が実行されていない旨のエラー（以下「未判定エラー」と言う。）を表示部３２に表示する（Ｓ１１７）。ここで、点呼支援手段３５ａは、未判定エラーの表示を、表示部３２の画面における色や、表示部３２とは別に設けた警告灯による光などによって実行しても良い。また、点呼支援手段３５ａは、未判定エラーの表示に追加して、または、未判定エラーの表示に代えて、音声などの音によって、未判定エラーを通知しても良い。
【００８５】
点呼支援手段３５ａは、Ｓ１１７の処理の後、Ｓ１１１の処理を実行する。
【００８６】
点呼支援手段３５ａは、判定の結果が表示されたとＳ１１６において判断すると、全ての確認項目に対する値が受け付けられたか否かを判断する（Ｓ１１８）。
【００８７】
点呼支援手段３５ａは、少なくとも１つの確認項目に対する値が受け付けられていないとＳ１１８において判断すると、値が受け付けられていない確認項目が存在する旨のエラー、すなわち、未チェックエラーを表示部３２に表示する（Ｓ１１９）。ここで、点呼支援手段３５ａは、未チェックエラーの表示を、表示部３２の画面における色や、表示部３２とは別に設けた警告灯による光などによって実行しても良い。また、点呼支援手段３５ａは、未チェックエラーの表示に追加して、または、未チェックエラーの表示に代えて、音声などの音によって、未チェックエラーを通知しても良い。
【００８８】
点呼支援手段３５ａは、Ｓ１１９の処理の後、Ｓ１１１の処理を実行する。
【００８９】
点呼支援手段３５ａは、全ての確認項目に対する値が受け付けられたとＳ１１８において判断すると、点呼支援処理の結果を記憶部３４に記憶させる（Ｓ１２０）。
【００９０】
次いで、健康状態判定手段３５ｂは、Ｓ１１２における判定の結果を今回の点呼支援処理の結果に関連付けて記憶部３４に記憶させる（Ｓ１２１）。
【００９１】
次いで、点呼支援手段３５ａは、Ｓ１０１の処理を実行する。すなわち、点呼支援手段３５ａは、点呼支援処理を正常に終了する。
【００９２】
次に、被点呼者の健康状態の推移を表示する場合のコンピューター３０の動作について説明する。
【００９３】
図１１は、被点呼者の健康状態の推移を表示する場合のコンピューター３０の動作のフローチャートである。
【００９４】
図１１に示すように、健康状態判定手段３５ｂは、利用者から指示された期間など、特定の期間において記憶部３４に記憶された、特定の被点呼者の複数回の判定の結果を記憶部３４から取得する（Ｓ１３１）。
【００９５】
次いで、健康状態判定手段３５ｂは、Ｓ１３１において取得した複数回の判定の結果に基づいて被点呼者の健康状態の推移を表示部３２に表示させて（Ｓ１３２）、図１１に示す動作を終了する。
【００９６】
以上に説明したように、点呼支援システム１０は、被点呼者の爪の状態を読み取る爪リーダー２０による読み取り結果に基づいて被点呼者の健康状態の判定を実行し（Ｓ１１２）、判定の結果を点呼支援処理の実行中に表示部３２に表示させる（Ｓ１１３）ので、爪リーダー２０による読み取り結果に基づいて被点呼者の健康状態を点呼執行者が判定する必要がなく、被点呼者の健康状態を点呼執行者に従来より容易に認識させることができる。
【００９７】
点呼執行者は、点呼の際に、被点呼者の顔色や、被点呼者の様子などを観察することによって、被点呼者の健康状態を判断することができる。点呼支援システム１０は、被点呼者の顔色や様子の観察という主観的な判断基準だけではなく、爪の色に基づいた被点呼者の健康状態の判定の結果という客観的な判断基準によって、被点呼者の健康状態を点呼執行者に判断させることができる。ここで、被点呼者は、例えば、自分の仕事をしなければならないという責任感などから、本当は健康状態が悪いにも関わらず、点呼執行者に対して「健康状態が良い」と虚偽の申告をする場合がある。しかしながら、点呼支援システム１０は、客観的な判断基準によって被点呼者の健康状態を点呼執行者に判断させることができるので、例えば、被点呼者による虚偽の自己申告を点呼執行者に容易に見破らせることができる。
【００９８】
点呼支援システム１０は、爪の色に基づいた被点呼者の健康状態の自動判定の結果が、点呼執行者および被点呼者の対話による被点呼者の健康状態の確認項目に対する値の入力の際の有用な参考情報になるので、被点呼者の健康状態の確認項目に対して適切な値が入力される可能性を向上することができる。
【００９９】
特に、健康状態判定手段３５ｂは、図１０に示すように、被点呼者の健康状態の確認項目に対する値を操作部３１から受け付け可能な点呼支援画面７０が表示部３２に表示させられている場合に、爪の色に基づいた被点呼者の健康状態の自動判定の結果を表示部３２に表示させても良い。この構成により、点呼支援システム１０は、爪リーダー２０による読み取り結果に基づいた被点呼者の健康状態の自動判定の結果を、被点呼者の健康状態の確認項目に対する値を受け付け可能な点呼支援画面と同時に表示するので、被点呼者の健康状態の確認項目に対して適切な値が入力される可能性を更に向上することができる。
【０１００】
なお、点呼支援システム１０は、被点呼者の健康状態の確認項目に対する値を操作部３１から受け付け可能な点呼支援画面７０を表示部３２に表示するタイミングとは別のタイミングで、爪リーダー２０による読み取り結果に基づいた被点呼者の健康状態の自動判定の結果を表示部３２に表示しても良い。また、点呼支援システム１０は、被点呼者の健康状態の確認項目に対する値を受け付けるシステムでなくても良い。
【０１０１】
点呼支援システム１０は、爪リーダー２０による読み取りを行うことが設定されている場合（Ｓ１０５でＹＥＳ）、爪の色に基づいた被点呼者の健康状態の判定の結果が表示部３２に表示されるまで（Ｓ１１６でＹＥＳ）点呼支援処理が正常に終了しないので、被点呼者の爪の状態を爪リーダー２０に読み取らせることが失念されることを防止することができ、被点呼者の健康状態が点呼執行者によって認識されない状況の発生を抑えることができる。なお、被点呼者の疾病疲労状態、すなわち、健康状態の確認項目は、貨物自動車運送事業法で定められた点呼確認必須項目であるので、被点呼者の健康状態が点呼執行者によって認識されない状況の発生を抑えることは有益である。
【０１０２】
点呼支援システム１０は、複数回の判定の結果に基づいて被点呼者の健康状態の推移を表示部３２に表示させる（Ｓ１３２）ので、被点呼者の健康状態の現状だけでなく、被点呼者の健康状態の悪化や改善の状況を点呼執行者に認識させることができる。したがって、点呼支援システム１０は、被点呼者の健康状態を点呼執行者に詳細に認識させることができる。なお、被点呼者の健康状態の推移は、点呼執行者によって活用されるだけではなく、被点呼者自身によって活用されることも好ましいし、被点呼者が所属している企業の経営者や安全の統括者によって活用されることも好ましい。
【０１０３】
健康状態判定手段３５ｂは、爪の色に基づいた被点呼者の健康状態の複数回の自動判定の結果に基づいた被点呼者の健康状態の推移を、点呼支援処理の実行中に表示部３２に表示させても良い。この構成により、点呼支援システム１０は、複数回の自動判定の結果に基づいた被点呼者の健康状態の推移を点呼支援処理の実行中に表示部３２に表示させるので、被点呼者の健康状態を点呼執行者に詳細に認識させることができる。
【０１０４】
点呼支援システム１０は、点呼執行者および被点呼者の対話による被点呼者の健康状態の確認項目に対する値を操作部３１から受け付け可能な点呼支援画面を表示部３２に表示させるので、爪の色に基づいた被点呼者の健康状態の複数回の自動判定の結果に基づいた被点呼者の健康状態の推移が、点呼執行者および被点呼者の対話による被点呼者の健康状態の確認項目に対する値の入力の際の有用な参考情報になる。したがって、点呼支援システム１０は、被点呼者の健康状態の確認項目に対して適切な値が入力される可能性を向上することができる。
【０１０５】
特に、健康状態判定手段３５ｂは、被点呼者の健康状態の確認項目に対する値を操作部３１から受け付け可能な点呼支援画面７０が表示部３２に表示させられている場合に、爪の色に基づいた被点呼者の健康状態の複数回の自動判定の結果に基づいた被点呼者の健康状態の推移を表示部３２に表示させても良い。この構成により、点呼支援システム１０は、爪リーダー２０による読み取り結果に基づいた被点呼者の健康状態の複数回の自動判定の結果に基づいた被点呼者の健康状態の推移を、被点呼者の健康状態の確認項目に対する値を受け付け可能な点呼支援画面と同時に表示するので、被点呼者の健康状態の確認項目に対して適切な値が入力される可能性を更に向上することができる。
【０１０６】
なお、点呼支援システム１０は、被点呼者の健康状態の確認項目に対する値を操作部３１から受け付け可能な点呼支援画面７０を表示部３２に表示するタイミングとは別のタイミングで、爪の色に基づいた被点呼者の健康状態の複数回の自動判定の結果に基づいた被点呼者の健康状態の推移を表示部３２に表示しても良い。また、点呼支援システム１０は、被点呼者の健康状態の確認項目に対する値を受け付けるシステムでなくても良い。
【０１０７】
点呼支援システム１０は、被点呼者の爪の色に基づいて被点呼者の健康状態を判定するので、被点呼者の爪の表面の凹凸などの形状に基づいて被点呼者の健康状態を判定する場合と比較して、被点呼者の健康状態を容易な構成で高精度に点呼執行者に認識させることができる。なお、点呼支援システム１０は、被点呼者の爪の色に追加して、または、被点呼者の爪の色に代えて、被点呼者の爪の表面の凹凸などの形状に基づいて被点呼者の健康状態を判定しても良い。コンピューター３０は、例えば、撮像部２２によって撮影された爪の画像を分析することによって、被点呼者の爪の表面の凹凸などの形状を認識することが可能である。
【０１０８】
点呼支援システム１０は、点呼支援処理の結果や、爪の色に基づいた被点呼者の健康状態の判定の結果を電子データとして記憶するので、紙などの記録媒体に印刷や手書きによって記録する構成と比較して、必要なデータを容易に検索することができるとともに、改ざんなどの不正をデータ処理によって容易に発見することもできる。
【０１０９】
点呼支援システム１０は、爪リーダー２０と、コンピューター３０とに分かれているので、汎用のコンピューター３０を用いて構成されることができる。したがって、点呼支援システム１０は、１つの専用の装置として製造される構成と比較して、容易および安価に製造されることができる。なお、本発明の点呼支援システムは、１つの専用の装置として製造されても良い。
【０１１０】
点呼支援システム１０は、本実施の形態において、点呼執行者と、被点呼者とが実際に対面して点呼が実施される対面点呼用である。しかしながら、本発明の点呼支援システムは、点呼執行者と、被点呼者とが互いに離れた地点に滞在して、ＩＴ機器を利用して疑似的に対面して点呼が実施されるＩＴ点呼用でも良い。図１２は、ＩＴ点呼用の点呼支援システム２１０のブロック図である。点呼支援システム２１０は、爪リーダー２０が接続されているコンピューター２２０を備えている。コンピューター３０と、コンピューター２２０とは、ＬＡＮ、インターネットなどのネットワーク２００経由で通信可能である。点呼執行者は、コンピューター３０を利用する。被点呼者は、爪リーダー２０およびコンピューター２２０を利用する。点呼執行者と、被点呼者とは、コンピューター３０およびコンピューター２２０を利用して疑似的に対面して点呼を実施する。爪リーダー２０による読み取り結果は、コンピューター２２０を介してネットワーク２００経由でコンピューター３０に通知される。
【符号の説明】
【０１１１】
１０  点呼支援システム
２０  爪リーダー（読取デバイス）
３０  コンピューター
３１  操作部（操作デバイス）
３２  表示部（表示デバイス）
３４  記憶部（記憶デバイス）
３４ａ  点呼支援プログラム
３５ａ  点呼支援手段
３５ｂ  健康状態判定手段
７０  点呼支援画面
２１０  点呼支援システム
【図１】
2018005268.tif 000003
【図２】
2018005268.tif 000004
【図３】
2018005268.tif 000005
【図４】
2018005268.tif 000006
【図５】
2018005268.tif 000007
【図６】
2018005268.tif 000008
【図７】
2018005268.tif 000009
【図８】
2018005268.tif 000010
【図９】
2018005268.tif 000011
【図１０】
2018005268.tif 000012
【図１１】
2018005268.tif 000013
【図１２】
2018005268.tif 000014